(57)【特許請求の範囲】
【請求項１】
超音波診断装置と無線通信端末機とを含む超音波診断システムにおいて、
超音波プローブでエコー信号を収集して得たフレームデータを前記無線通信端末機のディスプレイ画面が有する解像度に対応するスキャンデータで形成する前記超音波診断装置と、
前記超音波診断装置から前記スキャンデータを受信して、自体保有した前記ディスプレイ画面が有する解像度に適した超音波映像にスキャン変換する前記無線通信端末機と、を備えることを特徴とする超音波診断システム。
【請求項２】
前記超音波診断装置は、超音波信号を被検体に送信し、被検体から反射されるエコー信号を受信する前記超音波プローブと、
前記超音波プローブから反射されてきたエコー信号を収集して前記フレームデータを生成するビームフォーマと、
前記無線通信端末機から解像度情報を受信する解像度情報受信部と、
無線通信を行う場合、前記無線通信端末機の前記ディスプレイ画面が有する前記解像度ごとに、帯域幅の効率性を高めうる前記スキャンデータが予め設定マッピングされて保存されたスキャンデータ用解像度ＤＢと、
前記解像度情報受信部に受信される前記解像度情報を前記スキャンデータ用解像度ＤＢのマッピング情報と比較した後、前記フレームデータを前記無線通信端末機に伝送するための前記スキャンデータで生成するスキャンデータ生成部と、
前記スキャンデータ生成部から生成された前記スキャンデータを前記無線通信端末機に送信するスキャンデータ送信部と、を含むことを特徴とする請求項１に記載の超音波診断システム。
【請求項３】
前記無線通信端末機は、前記超音波映像を表示するディスプレイ部と、
前記ディスプレイ部のディスプレイ画面に対応する前記解像度情報を生成する解像度情報生成部と、
前記超音波診断装置と無線通信を行って、前記解像度情報及び前記スキャンデータを送受信するデータ送受信部と、
前記解像度情報に対応して、スキャン変換可能な前記超音波映像の大きさが予め設定マッピングされて保存されたスキャン変換用解像度ＤＢと、
前記スキャン変換用解像度ＤＢを用いて、前記ディスプレイ画面の前記解像度情報に対応する前記超音波映像をマッピングさせるアプリケーション制御部と、
前記アプリケーション制御部からマッピングされた情報を参照して、前記超音波診断装置から受信する前記スキャンデータを前記ディスプレイ画面が有する解像度に適した前記超音波映像にスキャン変換するスキャン変換部と、を備えることを特徴とする請求項１または２に記載の超音波診断システム。
【請求項４】
超音波プローブでエコー信号を収集して得たフレームデータを無線通信端末機のディスプレイ画面が有する解像度に対応するスキャンデータで形成する超音波診断装置、及び前記超音波診断装置からスキャンデータを受信して、自体保有したディスプレイ画面が有する解像度に適した超音波映像にスキャン変換する前記無線通信端末機を備える超音波診断システムの作動方法において、
前記超音波プローブのエコー信号を収集してビームフォーマで前記フレームデータを生成する第１段階と、
前記無線通信端末機の解像度情報生成部でデバイスドライバを通じてディスプレイ画面の解像度情報を生成する第２段階と、
前記無線通信端末機のデータ送受信部と前記超音波診断装置の解像度情報受信部とを通じて前記解像度情報を前記無線通信端末機から前記超音波診断装置に伝送する第３段階と、
前記無線通信端末機の解像度情報をスキャンデータ用解像度ＤＢのマッピング情報と比較した後、前記マッピング情報に基づいて、前記ビームフォーマから生成された前記フレームデータを前記無線通信端末機に伝送するための前記スキャンデータで生成する第４段階と、
前記超音波診断装置のスキャンデータ送信部と前記無線通信端末機のデータ送受信部とを通じて前記超音波診断装置から前記無線通信端末機に前記スキャンデータを伝送する第５段階と、
アプリケーション制御部でスキャン変換用解像度ＤＢを参照して、前記解像度情報に対応する前記超音波映像をマッピングさせた後、スキャン変換部で前記超音波診断装置から受信する前記スキャンデータを前記ディスプレイ画面が有する前記解像度情報に適した前記超音波映像にスキャン変換する第６段階と、
ディスプレイ部によって、スキャン変換が完了した前記超音波映像を表示する第７段階と、を備えることを特徴とする超音波診断システムの作動方法。
【発明の詳細な説明】
【技術分野】
【０００１】
本発明は、多様な解像度を有する無線通信端末機への適用が可能な超音波診断システム及び作動方法に係り、より詳細には、多様な解像度を有する無線通信端末機に適した解像度を具現すると共に、送受信帯域幅を効率的に使える多様な解像度を有する無線通信端末機への適用が可能な超音波診断システム及び作動方法に関する。
【背景技術】
【０００２】
超音波診断装置は、無侵襲及び非破壊の特性を有しており、対象体内部の情報を得るための医療分野で広く用いられている。超音波診断システムは、被検体を直接切開して観察する外科手術が不要であり、被検体内部組織の高解像度の映像を医師に提供することができるので、医療分野で非常に重要に用いられている。
【０００３】
超音波診断装置は、被検体の体表から体内の目的部位に向けて超音波信号を照射し、反射された超音波信号から情報を抽出して軟部組織の断層や血流に関するイメージを無侵襲で得るシステムである。
【０００４】
このような超音波診断装置は、Ｘ線検査装置、ＣＴスキャナー（Computerized Tomography Scanner）、ＭＲＩスキャナー（Magnetic Resonance Image Scanner）、核医学検査装置のような他の映像診断装置と比較した時、小型で安価であり、リアルタイムで表示可能であり、Ｘ線などの被爆がなくて、安全性が高いという長所を有するので、心臓、腹部内臓、泌尿器及び生殖器の診断のために広く用いられている。
【０００５】
図１は、超音波診断システムを概略的に示すブロック図である。
【０００６】
図示されたように、超音波診断システムは、超音波プローブ（probe）１０、ビームフォーマ（beam former）２０、スキャン変換部３０、及びディスプレイ部４０を含む。
【０００７】
前記超音波プローブ１０は、超音波信号を被検体に送信し、被検体から反射されるエコー信号を受信して受信信号を形成する。また、超音波プローブ１０は、超音波信号と電気信号とを互いに変換するように動作する少なくとも１つの変換素子（transducer element）を含む。
【０００８】
前記ビームフォーマ２０は、超音波プローブ１０から提供される受信信号をアナログ／デジタル変換した後、各変換素子の位置及び集束点を考慮して時間遅延させ、時間遅延されたデジタル信号を合算してフレームデータを生成する。
【０００９】
前記スキャン変換部３０は、フレームデータがディスプレイ部のディスプレイ画面に表示されるようにスキャン変換を行って、超音波映像を生成する。
【００１０】
前記ディスプレイ部４０は、スキャン変換された超音波データを超音波映像にディスプレイ画面上に表示する。
【００１１】
図２は、従来の病院で使う超音波診断システムを示す図面である。
【００１２】
図示されたように、従来の超音波診断システムは、超音波映像を表示するためのディスプレイ用モニタが固着されているので、超音波映像を生成する場合に、特定の解像度に合わせて設定されている。
【００１３】
最近、スマートフォンまたはタブレットのような多様な無線通信用端末機を超音波診断システムと無線通信で連結して超音波診断を行なおうとする努力が試みられている。
【００１４】
しかし、このような無線通信端末機は、製品の種類と大きさとによって多様な解像度を有するディスプレイが装着されているために、従来の超音波診断システムと解像度が異なる超音波映像を無線通信端末機に伝送するためには、解像度を調節しなければならない必要性が台頭しつつある。
【００１５】
それだけではなく、前記無線通信端末機が超音波診断システムから生成された超音波映像に比べて、低解像度を有するディスプレイ部を備える場合には、従来の超音波診断システムから生成された超音波映像を前記無線通信端末機に伝送する場合に、送受信帯域幅を効率的に使えないという問題点がある。
【００１６】
従って、多様な解像度を有する無線通信端末機に適した解像度を具現すると共に、送受信帯域幅を効率的に使える超音波診断システムに関する現実的でありながらも、適用可能な技術が切実な実情である。
【発明の概要】
【発明が解決しようとする課題】
【００１７】
本発明は、前記問題点を解決するために案出されたものであって、本発明は、多様な解像度を有する無線通信端末機に適した解像度を具現すると共に、送受信帯域幅を効率的に使える超音波診断システム及び作動方法を提供するところにその目的がある。
【課題を解決するための手段】
【００１８】
本発明の実施形態による超音波診断システムは、超音波診断装置と無線通信端末機とを含む超音波診断システムにおいて、超音波プローブでエコー信号を収集して得たフレームデータを前記無線通信端末機のディスプレイ画面が有する解像度に対応するスキャンデータで形成する超音波診断装置と、前記超音波診断装置からスキャンデータを受信して、自体保有したディスプレイ画面が有する解像度に適した超音波映像にスキャン変換する無線通信端末機と、を備える。
【００１９】
前記超音波診断装置は、超音波信号を被検体に送信し、被検体から反射されるエコー信号を受信する超音波プローブと、前記超音波プローブから反射されてきたエコー信号を収集してフレームデータを生成するビームフォーマと、前記無線通信端末機から解像度情報を受信する解像度情報受信部と、無線通信を行う場合、前記無線通信端末機の前記ディスプレイ画面が有する前記解像度ごとに、帯域幅の効率性を高めうるスキャンデータが予め設定マッピングされて保存されたスキャンデータ用解像度ＤＢと、前記解像度情報受信部に受信される解像度情報を前記スキャンデータ用解像度ＤＢのマッピング情報と比較した後、前記フレームデータを無線通信端末機に伝送するためのスキャンデータで生成するスキャンデータ生成部と、前記スキャンデータ生成部から生成されたスキャンデータを前記無線通信端末機に送信するスキャンデータ送信部と、を含むことを特徴とする多様な解像度を有する。
【００２０】
前記無線通信端末機は、超音波映像を表示するディスプレイ部と、前記ディスプレイ部のディスプレイ画面に対応する解像度情報を生成する解像度情報生成部と、前記超音波診断装置と無線通信を行って、解像度情報及びスキャンデータを送受信するデータ送受信部と、前記解像度情報に対応して、スキャン変換可能な超音波映像の大きさが予め設定マッピングされて保存されたスキャン変換用解像度ＤＢと、前記スキャン変換用解像度ＤＢを用いて、前記ディスプレイ画面の解像度情報に対応する超音波映像をマッピングさせるアプリケーション制御部と、前記アプリケーション制御部からマッピングされた情報を参照して、前記超音波診断装置から受信するスキャンデータを前記ディスプレイ画面が有する解像度に適した超音波映像にスキャン変換するスキャン変換部と、を備える。
【００２１】
本発明の実施形態による超音波診断システムの作動方法は、超音波プローブでエコー信号を収集して得たフレームデータを前記無線通信端末機のディスプレイ画面が有する解像度に対応するスキャンデータで形成する超音波診断装置、及び前記超音波診断装置からスキャンデータを受信して、自体保有したディスプレイ画面が有する解像度に適した超音波映像にスキャン変換する無線通信端末機を備える超音波診断システムの作動方法において、超音波プローブのエコー信号を収集してビームフォーマでフレームデータを生成する第１段階と、無線通信端末機の解像度情報生成部でデバイスドライバを通じてディスプレイ画面の解像度情報を生成する第２段階と、無線通信端末機のデータ送受信部と超音波診断装置の解像度情報受信部とを通じて解像度情報を無線通信端末機から超音波診断装置に伝送する第３段階と、無線通信端末機の解像度情報をスキャンデータ用解像度ＤＢのマッピング情報と比較した後、前記マッピング情報に基づいて、ビームフォーマから生成されたフレームデータを無線通信端末機に伝送するためのスキャンデータで生成する第４段階と、超音波診断装置のスキャンデータ送信部と無線通信端末機のデータ送受信部とを通じて超音波診断装置から無線通信端末機にスキャンデータを伝送する第５段階と、アプリケーション制御部でスキャン変換用解像度ＤＢを参照して、解像度情報に対応する超音波映像をマッピングさせた後、スキャン変換部で前記超音波診断装置から受信するスキャンデータをディスプレイ画面が有する解像度情報に適した超音波映像にスキャン変換する第６段階と、ディスプレイ部によって、スキャン変換が完了した超音波映像を表示する第７段階と、を備える。
【発明の効果】
【００２２】
前述したように、本発明は、超音波診断装置のビームフォーマから形成されるフレームデータを、無線通信端末機の解像度に対応するスキャンデータで形成した後、無線通信端末機に伝送することができるために、送受信帯域幅を効率的に使えることができる。
また、本発明は、超音波診断装置から伝送されたスキャンデータを、無線通信端末機で独立して適した解像度にスキャン変換することができるために、多様な解像度を有する無線通信端末機への適用が可能な超音波診断システム及び作動方法を提供する。
【図面の簡単な説明】
【００２３】
【図１】従来の超音波診断システムを概略的に示すブロック図である。
【図２】従来の病院で使う超音波診断システムを示す図面である。
【図３】本発明の実施形態による多様な解像度を有する無線通信端末機への適用が可能な超音波診断システムを示すブロック図である。
【図４】伝送量によってサンプリングを行って、伝送パケットを生成する過程を実施形態で示すフローチャートである。
【図５】データ送受信部２３０で解像度情報を伝達する場合のパケット構造を示す図面である。
【図６】本発明の実施形態による多様な解像度を有する無線通信端末機への適用が可能な超音波診断システムの作動方法を示すフローチャートである。
【発明を実施するための形態】
【００２４】
本発明の実施形態は、当業者に本発明をさらに完全に説明するために提供されるものであり、下記の実施形態は、さまざまな他の形態に変形され、本発明の範囲が、下記の実施形態に限定されるものではない。むしろ、これら実施形態は、本開示をさらに充実かつ完全にし、当業者に本発明の思想を完全に伝達するために提供するものである。
【００２５】
本明細書で使われた用語は、特定の実施形態を説明するために使われ、本発明を制限するためのものではない。本明細書で使われたように、単数形態は、文脈上、他の場合を確かに指摘するものではないならば、複数の形態を含みうる。また、本明細書で使われる“含む。（comprise）”及び／または“含む（comprising）”は、言及した形状、数字、段階、動作、部材、要素及び／またはこれらグループの存在を特定するものであり、１つ以上の他の形状、数字、動作、部材、要素及び／またはグループの存在または付加を排除するものではない。本明細書で使われるように、用語“及び／または”は、当該列挙された項目のうち何れか１つ及び１つ以上のあらゆる組合わせを含む。
【００２６】
本明細書で、第１、第２などの用語が多様な部材、領域及び／または部位を説明するために使われるが、これら部材、部品、領域、層及び／または部位は、これら用語によって限定されてはならないということは自明である。これら用語は、特定の順序や上下、または優劣を意味せず、１つの部材、領域または部位を他の部材、領域または部位と区別するためにのみ使われる。従って、以下、前述する第１部材、領域または部位は、本発明の教えから外れずとも、第２部材、領域または部位を称することができる。
【００２７】
以下、添付した図面を参照して、本発明の望ましい実施形態を詳しく説明する。
【００２８】
図３は、本発明の実施形態による多様な解像度を有する無線通信端末機への適用が可能な超音波診断システムを示すブロック図である。
【００２９】
図示されたように、本発明の実施形態による多様な解像度を有する無線通信端末機への適用が可能な超音波診断システムは、無線通信を使って超音波映像信号を送受信する超音波診断装置１００及び無線通信端末機２００を備えてなる。
【００３０】
前記超音波診断装置１００は、超音波プローブ１１０で得たフレームデータを前記無線通信端末機２００のディスプレイ画面が有する解像度に対応してデータ伝送時に、最適の帯域幅を有するようにスキャンデータで形成しうる。
【００３１】
また、前記無線通信端末機２００は、前記超音波診断装置１００からスキャンデータを受信して、自体保有したディスプレイ画面が有する解像度に適した超音波映像にスキャン変換することができる。
【００３２】
より詳細には、前記超音波診断装置１００は、超音波プローブ１１０、ビームフォーマ１２０、解像度情報受信部１３０、スキャンデータ用解像度ＤＢ１４０、スキャンデータ生成部１５０、及びスキャンデータ送信部１６０を含みうる。
【００３３】
前記超音波プローブ１１０は、超音波信号を被検体に送信し、被検体から反射されるエコー信号を受信することができる。
【００３４】
また、前記ビームフォーマ１２０は、前記超音波プローブ１１０から反射されてきたエコー信号を収集してフレームデータを生成することができる。
【００３５】
前記解像度情報受信部１３０は、前記無線通信端末機２００から解像度情報を受信することができる。
【００３６】
下記の表１は、多様な解像度を有する無線通信端末機の種類を示す。
【００３７】
【表１】
0006279760.tif 000002
【００３８】
表１に示したように、本発明の実施形態に適用可能な無線通信端末機は、多様な解像度を有しうる。
【００３９】
従って、超音波診断装置１００から無線通信端末機２００に超音波映像を伝送する場合には、前記解像度情報受信部１３０で受信する解像度情報以上の解像度を有する超音波映像を伝送して初めて、超音波映像信号の歪曲が発生しなくなる。
【００４０】
一方、前記スキャンデータ用解像度ＤＢ１４０は、無線通信を行う場合、多様な解像度を有する無線通信端末機の解像度情報に対応して帯域幅の効率性を高めうるスキャンデータが予め設定マッピングされて保存することができる。
【００４１】
下記の表２は、無線通信を通じて伝送されるスキャンデータの大きさによって使う伝送帯域幅（Bandwidth;Mbits/sec）を示す。
【００４２】
【表２】
0006279760.tif 000003
【００４３】
表２に示したように、スキャンデータの大きさによって占める伝送帯域幅が異なることが分かる。
【００４４】
ここで、スキャンデータの大きさが４Ｋ  ＢＹＴＥは、無線通信を通じて超音波診断装置から無線通信端末機に伝送する超音波映像の画素情報が約４，０００個程度あるということを示す。
【００４５】
例えば、表１の解像度が６４０×９６０であるｉＰｈｏｎｅ４（登録商標）は、スキャンデータが１Ｋ  ＢＹＴＥに過ぎないために、４Ｋ  ＢＹＴＥのスキャンデータを伝送すれば、約３，０００個程度の画素情報は使われず、捨てられることが分かり、この際、表２の伝送帯域幅を参照しても、伝送帯域幅を必要以上に多く占めて効率が落ちることがある。
【００４６】
従って、本発明の実施形態でのように、スキャンデータが予め設定マッピングされたスキャンデータ用解像度ＤＢ１４０を用いれば、伝送帯域幅を効率的に使えるようになる。
【００４７】
下記の表３は、前記スキャンデータ用解像度ＤＢ１４０にマッピング設定された実施形態を示す。
【００４８】
【表３】
0006279760.tif 000004
【００４９】
前記スキャンデータ生成部１５０は、表３の実施形態によって、無線通信端末機２００から前記解像度情報受信部１３０に受信される解像度情報を用いて、前記スキャンデータ用解像度ＤＢ１４０のマッピング情報と比較した後、前記フレームデータを無線通信端末機に伝送するためのスキャンデータで生成することができる。
【００５０】
すなわち、前述したように、無線通信端末機の解像度が６４０×９６０であるｉＰｈｏｎｅ４の場合には、スキャンデータ生成部１５０でそれを支援する１Ｋ  ＢＹＴＥのスキャンデータを生成することができる。
【００５１】
図４は、伝送量によってサンプリングを行って、伝送パケットを生成する過程を実施形態で示すフローチャートである。
【００５２】
図示されたように、本発明の実施形態では、スキャンデータの大きさによって全体データの大きさを調節して、伝送パケットを生成して伝送しうる。
【００５３】
このように、超音波診断装置１００は、図３に示されたスキャンデータ送信部１６０を用いてスキャンデータ生成部１５０から生成されたスキャンデータを前記無線通信端末機に送信することができる。
【００５４】
また、本発明の実施形態による多様な解像度を有する無線通信端末機への適用が可能な超音波診断システムの無線通信端末機２００は、図３に示したように、ディスプレイ部２１０、解像度情報生成部２２０、データ送受信部２３０、スキャン変換用解像度ＤＢ２４０、アプリケーション制御部２５０、及びスキャン変換部２６０を備える。
【００５５】
より詳細に説明すれば、前記ディスプレイ部２１０は、無線通信端末機の種類によって超音波映像を表示するために、前述したような多様な解像度を有するディスプレイ画面を備え、無線通信を通じて連結されるＰＣ、スマートフォン、タブレット型機器、パッド型機器、ＰＤＡなどの無線通信端末機に備えられうる。
【００５６】
前記解像度情報生成部２２０は、前記ディスプレイ部２１０のディスプレイ画面に対応する解像度情報を生成することができる。
【００５７】
本発明の実施形態では、ディスプレイ部２１０のデバイスドライバを通じてディスプレイ画面が有する物理的な解像度情報を求めうる。
【００５８】
この際、前記解像度情報生成部２２０を含んで、後述するスキャン変換用解像度ＤＢ２４０及びアプリケーション制御部２５０は、無線通信端末機に設けられる独立した応用プログラムとして具現可能である。
【００５９】
また、前記データ送受信部２３０は、前記超音波診断装置１００と無線通信を行って、無線通信端末機の解像度情報生成部２２０で生成した解像度情報及び前記超音波診断装置１００のスキャンデータを送受信することができる。
【００６０】
図５は、データ送受信部２３０で解像度情報を伝達する場合のパケット構造を示す図面である。
【００６１】
Packet Headerは、データ通信用Packetであることを表示し、Packet全体大きさを保存し、Commandは、Packetを用いて行なおうとする作業CommandまたはCommandに対するResponseを表示し、Bodyは、CommandまたはResponseに該当するデータを保存することができる。
【００６２】
一方、図３に示されたスキャン変換用解像度ＤＢ２４０は、図３の解像度情報生成部２２０で生成した解像度情報に対応して、スキャン変換可能な超音波映像の大きさが予め設定マッピングされて保存することができる。
【００６３】
下記の表４は、前記スキャン変換用解像度ＤＢ２４０にマッピング設定された実施形態を示す。
【００６４】
【表４】
0006279760.tif 000005
【００６５】
表４に示したように、無線通信端末機の支援解像度によって超音波映像の大きさが異なることが分かる。
【００６６】
従って、無線通信端末機２００のアプリケーション制御部２５０は、前記スキャン変換用解像度ＤＢ２４０を用いてディスプレイ部２１０が有するディスプレイ画面の解像度情報に対応する超音波映像をマッピングさせることができる。
【００６７】
次いで、スキャン変換部２６０が、前記アプリケーション制御部２５０で求めたマッピング情報を用いて超音波診断装置１００から受信したスキャンデータにスキャン変換を行って、ディスプレイ画面が支援する解像度に適した超音波映像を形成しうる。
【００６８】
このように、本発明の実施形態による多様な解像度を有する無線通信端末機への適用が可能な超音波診断システムは、超音波診断装置１００が超音波プローブ１１０で得たフレームデータを無線通信端末機２００の解像度に対応するスキャンデータで形成して伝送するために、伝送帯域幅の効率を高め、無線通信端末機２００は、超音波診断装置１００から受信したスキャンデータを多様な解像度を有するディスプレイ画面に適した超音波映像にスキャン変換することができるために、多様な解像度を有する無線通信端末機２００に適用することができる。
【００６９】
図６は、本発明の実施形態による多様な解像度を有する無線通信端末機への適用が可能な超音波診断システムの作動方法を示すフローチャートである。
【００７０】
図６を参照して、図３で説明した超音波診断システムの作動方法に関して説明すれば、次の通りである。
【００７１】
図示されたように、本発明の実施形態による多様な解像度を有する無線通信端末機への適用が可能な超音波診断システムの作動方法は、フレームデータを生成する段階（ステップＳ１０）、解像度情報を生成する段階（ステップＳ２０）、解像度情報を伝送する段階（ステップＳ３０）、スキャンデータを生成する段階（ステップＳ４０）、スキャンデータを伝送する段階（ステップＳ５０）、スキャンデータを超音波映像にスキャン変換する段階（ステップＳ６０）、及び超音波映像をディスプレイ画面に表示する段階（ステップＳ７０）を含む。
【００７２】
より詳細には、前記フレームデータを生成する段階（ステップＳ１０）は、図３の超音波診断装置１００を構成するビームフォーマ１２０が超音波プローブ１１０で収集したエコー信号を用いてフレームデータを生成する第１段階である。
【００７３】
次いで、前記解像度情報を生成する段階（ステップＳ２０）は、図３の無線通信端末機２００に独立して具現される応用プログラムが有する１つの機能を行う段階であり得る。
【００７４】
すなわち、前記解像度情報を生成する段階（ステップＳ２０）は、前記応用プログラムの一機能である図３の解像度情報生成部２２０で無線通信端末機２００の固有運用体制にディスプレイ情報を要請し、前記運用体制でデバイスドライバを通じてディスプレイ画面の解像度を求めた後、それを再び応用プログラムに提供して解像度情報を生成する第２段階である。
【００７５】
次いで、前記解像度情報を伝送する段階（ステップＳ３０）は、前記無線通信端末機２００を構成する図３のデータ送受信部２３０と前記超音波診断装置１００を構成する図３の解像度情報受信部１３０とを通じて前記第２段階で求めた解像度情報を無線通信端末機２００から超音波診断装置１００に伝送する第３段階である。
【００７６】
また、前記スキャンデータを生成する段階（ステップＳ４０）は、前記第２段階で求めた無線通信端末機２００の解像度情報を図３のスキャンデータ用解像度ＤＢ１４０のマッピング情報と比較した後、マッピング情報に基づいて、図３のビームフォーマ１２０から生成されたフレームデータを無線通信端末機に伝送するためのスキャンデータで生成する第４段階である。
【００７７】
以後、前記スキャンデータを伝送する段階（ステップＳ５０）は、図３の超音波診断装置１００のスキャンデータ送信部１６０と無線通信端末機２００のデータ送受信部２３０とを通じて超音波診断装置１００から無線通信端末機２００にスキャンデータを伝送する第５段階である。
【００７８】
一方、本発明の実施形態で、前記第３段階（ステップＳ３０）及び前記第５段階（ステップＳ５０）で超音波診断装置１００と無線通信端末機２００との間で行われる無線通信方式としては、ブルートゥース（Bluetooth：登録商標）、無線ＵＳＢ（Wireless USB）、Wireless LAN、Ｗｉ−Ｆｉ（WiFi）、ジグビー（Zigbee）または赤外線通信であるＩｒＤＡ（Infrared Data Association）のうち１つの方式を利用できる。
【００７９】
また、前記スキャンデータを超音波映像にスキャン変換する段階（ステップＳ６０）は、図３の無線通信端末機２００を構成するアプリケーション制御部２５０でスキャン変換用解像度ＤＢ２４０を参照して、解像度情報に対応する超音波映像をマッピングさせた後、スキャン変換部２６０で前記超音波診断装置１００から受信するスキャンデータをディスプレイ画面が有する解像度情報に適した超音波映像にスキャン変換する第６段階である。
【００８０】
次いで、前記ディスプレイ部２１０によって、スキャン変換が完了した超音波映像を表示することができる。
【００８１】
以下、実施形態は、本発明の超音波診断装置に対する一実施形態である。
【００８２】
本発明の一実施形態による超音波診断装置では、前記超音波診断装置と連動して動作する無線で連結された端末機から前記端末機についての解像度情報を受信する段階、前記端末機から受信した解像度情報を用いて生成されたスキャンデータを前記解像度情報に合う容量で設定テーブル、サンプリングや補間法（interpolation）などの方法を用いて決定する段階、前記決定によって超音波映像に対する伝送データやパケットを生成して、前記端末機に送信する段階を経る。
【００８３】
以下、実施形態は、本発明の超音波診断装置と連動する端末機に対する一実施形態である。
【００８４】
超音波診断装置から前記端末機についての解像度情報を要請される段階、前記要請に応じて、前記端末機の解像度情報を前記超音波診断装置に伝送する段階、前記超音波診断装置から超音波映像データを受信する段階、前記受信した超音波映像データを、イメージプロセスを用いて超音波映像を生成する段階を経る。
【００８５】
前記のように、本発明は、超音波診断装置のビームフォーマから形成されるフレームデータを、無線通信端末機の解像度に対応するスキャンデータで形成した後、無線通信端末機に伝送することができるために、送受信帯域幅を効率的に使える効果がある。
【００８６】
また、本発明は、超音波診断装置から伝送されたスキャンデータを、無線通信端末機で
独立して適した解像度にスキャン変換することができるために、多様な解像度を有する無
線通信端末機への適用が可能な超音波診断システム及び作動方法を提供する効果がある。
【００８７】
以上、本発明について詳しく説明したが、その過程で言及した実施形態は、例示的なものであり、限定的なものではないということを確かめ、本発明は、以下の特許請求の範囲によって提供される本発明の技術的思想や分野を外れない範囲内で、均等に対処されうる程度の構成要素の変更は、本発明の範囲に属するものと理解されなければならない。
【産業上の利用可能性】
【００８８】
本発明は、多様な解像度を有する無線通信端末機への適用が可能な超音波診断システム
及び作動方法関連の技術分野に適用可能である。
【図１】
0006279760.tif 000006
【図２】
0006279760.tif 000007
【図３】
0006279760.tif 000008
【図４】
0006279760.tif 000009
【図５】
0006279760.tif 000010
【図６】
0006279760.tif 000011